(57)【要約】  【課題】  信号線路と貫通導体を有し、インピーダンス整合が容易な配線基板等を提供すること。  【解決手段】  絶縁基板１と、絶縁基板１の上面に上端部が位置する貫通導体２と、貫通導体２の上端部に接続されている端部を有する信号線路３と、第１クリアランス部６を介して貫通導体２を囲むように配置されており、信号線路３から離れた上端部を有する接地導体４と、信号線路３の下方に、貫通導体２との間に第２クリアランス部７を介して配置されており、貫通導体２から離れた位置で接地導体４の上端部と接続されている接地導体層５とを備えており、平面視において、第２クリアランス部７の距離Ｌ７が第１クリアランス部６の距離Ｌ６よりも小さい配線基板10である。【選択図】  図１
2018137382.tif 000002
【特許請求の範囲】
【請求項１】
上面を有する絶縁基板と、
該絶縁基板の厚み方向の少なくとも一部を貫通しており、前記絶縁基板の上面に上端部が位置する貫通導体と、
前記絶縁基板の上面に位置しており、前記貫通導体の上端部に接続されている端部を有する信号線路と、
前記絶縁基板の内部に、第１クリアランス部を介して前記貫通導体を囲むように配置されており、前記信号線路から離れた上端部を有する接地導体と、
前記信号線路の下方における前記絶縁基板の内部に、前記貫通導体との間に第２クリアランス部を介して配置されており、前記貫通導体から離れた位置で前記接地導体の上端部と接続されている接地導体層とを備えており、
平面視において、前記貫通導体と前記接地導体層との間の前記第２クリアランス部の距離が、前記貫通導体と前記接地導体との間の前記第１クリアランス部の距離よりも小さい配線基板。
【請求項２】
平面視において、前記第１クリアランス部および前記第２クリアランス部は、前記貫通導体内に中心が位置する円形状または扇形状である請求項１記載の配線基板。
【請求項３】
前記第２クリアランス部は、平面視において前記信号線路を含む第１領域と、該第１領域よりも前記信号線路から離れた第２領域とを有しているとともに、前記第１領域における前記貫通導体と前記接地導体層との距離が前記第２領域における前記貫通導体と前記接地導体層との距離よりも小さい請求項１または請求項２記載の配線基板。
【請求項４】
前記貫通導体と前記接地導体層との間の前記第２クリアランス部の距離が、前記第１領域のみにおいて、前記貫通導体と前記接地導体との間の前記第１クリアランス部の距離よりも小さい請求項３記載の配線基板。
【請求項５】
前記第２クリアランス部は、前記第１領域における半径が前記第２領域における半径よりも小さい扇形状である請求項３または請求項４記載の配線基板。
【請求項６】
平面視において前記信号線路と前記接地導体層の周縁とが交差する部分に、前記信号線路から前記絶縁基板の上面に沿って外側に突出する凸部をさらに備える請求項１〜請求項５のいずれかに記載の配線基板。
【請求項７】
請求項１〜請求項６のいずれかに記載の配線基板と、
凹部を有しており、該凹部内に前記配線基板が固定されている筐体とを備える電子部品用パッケージ。
【請求項８】
請求項７記載の電子部品用パッケージと、
前記筐体の凹部内において前記配線基板と電気的に接続された電子部品と、
前記凹部を塞ぐように前記筐体に接合された蓋体とを備える電子装置。
【発明の詳細な説明】
【技術分野】
【０００１】
本発明は、高周波信号が伝送される信号線路を有する配線基板、電子部品用パッケージおよび電子装置に関する。
【背景技術】
【０００２】
高周波信号が伝送される信号線路を有する配線基板が、光半導体素子等の電子部品が収容されるパッケージを構成する部品として使用されている。パッケージ内に収容された電子部品は、配線基板と電気的に接続され、配線基板が有する信号線路を介して外部の電気回路と電気的に接続される。
【０００３】
上記の信号線路は、例えば配線基板の上面に位置している。配線基板のうち信号線路の下方には接地導体層が配置され、マイクロストリップ線路を構成する。また、信号線路と外部の電気回路との電気的な接続は、配線基板に上下方向に設けられた貫通導体を介して行われる。
【先行技術文献】
【特許文献】
【０００４】
【特許文献１】特開2002−185201号公報
【特許文献２】特開2004−119912号公報
【発明の概要】
【発明が解決しようとする課題】
【０００５】
上記従来の技術では、貫通導体の近くにも接地導体が配置され、貫通導体と信号線路とのインピーダンス（特性インピーダンス）の整合が行なわれる。しかしながら、この接地導体は、信号線路との電気絶縁性の確保のため、貫通導体の上端部の近くには配置できない。また、接地導体層も、貫通導体との電気絶縁性の確保のため、貫通導体の近くには配置できない。
【０００６】
そのため、信号線路と貫通導体との接続部分では、マイクロストリップ線路から伝送構造が不連続であり、インピーダンスの不整合が生じやすい。特に、近年、信号線路および貫通導体を伝送される信号の高周波化がさらに進んでいるため、このような問題が顕著になってきている。
【課題を解決するための手段】
【０００７】
本発明の１つの態様の配線基板は、上面を有する絶縁基板と、該絶縁基板の厚み方向の少なくとも一部を貫通しており、前記絶縁基板の上面に上端部が位置する貫通導体と、前記絶縁基板の上面に位置しており、前記貫通導体の上端部に接続されている端部を有する信号線路と、前記絶縁基板の内部に、第１クリアランス部を介して前記貫通導体を囲むように配置されており、前記信号線路から離れた上端部を有する接地導体と、前記信号線路の下方における前記絶縁基板の内部に、前記貫通導体との間に第２クリアランス部を介して配置されており、前記貫通導体から離れた位置で前記接地導体の上端部と接続されている接地導体層とを備えており、平面視において、前記貫通導体と前記接地導体層との間の前記第２クリアランス部の距離が、前記貫通導体と前記接地導体との間の前記第１クリアランス部の距離よりも小さい。
【０００８】
本発明の１つの態様の電子部品用パッケージは、上記いずれかの構成の配線基板と、凹部を有しており、該凹部内に前記配線基板が固定されている筐体とを備えている。
【０００９】
本発明の１つの態様の電子装置は、上記構成の電子部品用パッケージと、前記筐体の凹部内において前記配線基板と電気的に接続された電子部品と、前記凹部を塞ぐように前記筐体に接合された蓋体とを備える。
【発明の効果】
【００１０】
本発明の１つの態様の配線基板によれば、上記構成であることから、貫通導体の上端部に接続される接地導体層と貫通導体との間のクリアランス部の距離が小さい。そのため、信号線路と貫通導体との接続部分における線路構造の変化を低減できる。これにより、信号線路と貫通導体との接続部分におけるインピーダンスの変化を効果的に低減することができる。
【００１１】
本発明の１つの態様の電子部品用パッケージによれば、上記構成の配線基板を含むことから、配線基板部分におけるインピーダンスの整合が容易な電子部品用パッケージを提供することができる。
【００１２】
本発明の１つの態様の電子装置によれば、上記構成の配線基板を含むことから、配線基板部分におけるインピーダンスの整合が容易な電子装置を提供することができる。
【図面の簡単な説明】
【００１３】
【図１】（ａ）は本発明の実施形態の配線基板の一例における要部を示す平面図であり、（ｂ）は（ａ）のＸ−Ｘ線における断面図である。
【図２】本発明の実施形態の電子部品用パッケージの一例を分解して示す斜視図である。
【図３】本発明の実施形態の電子装置の一例を分解して示す斜視図である。
【図４】図１に示す配線基板の一例における内部を透視して示す平面図である。
【図５】（ａ）および（ｂ）は、それぞれ、図４の変形例を示す平面図である。
【図６】（ａ）〜（ｃ）は、それぞれ図１（ａ）の変形例を示す平面図である。
【図７】（ａ）〜（ｃ）は、それぞれ図１（ａ）の他の変形例を示す平面図である。
【図８】本発明の実施形態の配線基板における高周波特性を示すグラフである。
【図９】本発明の実施形態の配線基板における高周波特性を示すグラフである。
【図１０】図１（ａ）の他の変形例を示す平面図である。
【発明を実施するための形態】
【００１４】
本発明の実施形態の配線基板、電子部品用パッケージおよび電子装置を、添付の図面を参照して説明する。なお、以下の説明における上下の区別は説明上の便宜的なものであり、実際に配線基板、電子部品用パッケージまたは電子装置が使用されるときの上下を限定するものではない。また、以下の説明におけるインピーダンスは、特性インピーダンスである。
【００１５】
図１（ａ）は本発明の実施形態の配線基板を示す平面図であり、図１（ｂ）は図１（ａ）のＸ−Ｘ線における断面図である。図２は、図１に示す配線基板を含む電子部品用パッケージの一例を分解して示す斜視図である。図３は、本発明の実施形態の電子装置の一例を分解して示す斜視図である。図４は、図１に示す配線基板の内部の一例を透視して示す平面図である。
【００１６】
(配線基板）
実施形態の配線基板10は、絶縁基板１と、絶縁基板１の内部に設けられた貫通導体２と、絶縁基板１の上面に位置し、貫通導体２と接続された信号線路３と、絶縁基板１の内部において貫通導体２を囲んでいる接地導体４と、絶縁基板１の内部において信号線路３の
下方に位置し、接地導体４と接続された接地導体層５とを含んでいる。貫通導体２および信号線路３は、高周波信号等の信号が伝送される伝送路（符号なし）を形成している。接地導体４および接地導体層５は接地電位を供給する接地部（符号なし）である。伝送路の近くに、伝送路に対して電気的に絶縁されて接地部が位置している。
【００１７】
絶縁基板１は、例えば平面視で矩形状等の四角板状であり、四角形状等の上面を有している。絶縁基板１は、上記の伝送路および接地部を所定の位置関係で、互いに電気的に絶縁させて位置させるための基体として機能する。また、絶縁基板１は、その上面等の表面に電子部品が実装される実装部（図示せず）を有していてもよい。実装部を有する配線基板（図示せず）は、電子部品の実装用基板として使用することもできる。
【００１８】
絶縁基板１は、例えば、酸化アルミニウム質焼結体、窒化アルミニウム質焼結体、ムライト質焼結体またはガラスセラミック焼結体等のセラミック焼結体によって形成されている。絶縁基板１は、例えば酸化アルミニウム質焼結体からなる場合であれば、次のようにして製作することができる。まず酸化アルミニウムおよび酸化ケイ素等の原料粉末を適当な有機バインダおよび有機溶剤とともにシート状に成形して四角シート状の複数のセラミックグリーンシートを作製する。次に、これらのセラミックグリーンシートを積層して積層体を作製する。その後、この積層体を1300〜1600℃の温度で焼成することによって絶縁基板１を製作することができる。
【００１９】
実施形態の配線基板では、複数のセラミックグリーンシートが焼成されてなる複数の絶縁層（符号なし）が互いに積層されて絶縁基板１を形成している。絶縁基板１は、１層の絶縁層からなるものでもよい。また、絶縁基板１は、四角板状以外のもの（角部が丸く成形されたもの、円板状のもの、平面視で楕円形の板状のもの等）でもよい。
【００２０】
貫通導体２は、絶縁基板１の厚み方向の少なくとも一部を貫通しており、絶縁基板１の上面に上端部２ａが位置している。貫通導体２は、絶縁基板１の上面から絶縁基板１の内部の方向に伝送路を形成している。図１に示す例では貫通導体２が絶縁基板１の上面から下面まで貫通している。つまり、貫通導体２の下端は絶縁基板１の下面に位置している。貫通導体２は、その下端が絶縁基板１の内部に位置していてもよい。つまり、絶縁基板１の厚み方向の一部のみを貫通導体２が貫通している。この場合の貫通導体２の下端は、例えば、絶縁基板１の内部に設けられた他の導体（図示せず）と接続される。他の導体は、伝送路の一部を形成する内部配線導体等である。
【００２１】
信号線路３は、絶縁基板１の上面に位置しており、貫通導体２の上端部に接続されている端部３ａを有している。これによって、信号線路３と貫通導体２とが互いに電気的に接続されている。
【００２２】
接地導体４は、絶縁基板１の内部に、第１クリアランス部６を介して、貫通導体２を囲むように配置されている。また、接地導体４は、信号線路３から離れた上端部を有している。すなわち、接地導体４は、少なくとも、貫通導体２を囲む部分を有し、上下方向（絶縁基板１の厚み方向）に伸びるような形態である。具体的には、接地導体４は、貫通導体２を囲む筒状の等電位面を有する導体である。また、接地導体４の具体例として、図４に示すように、平面視で貫通導体２を囲んで配置された複数のスルーホール導体４Ａが挙げられる。複数のスルーホール導体４Ａで構成される円環状の部位（仮想の二点鎖線で示す仮想の部位）が、貫通導体２を囲む接地導体４として機能する。
【００２３】
接地導体４は、実際に筒状の形状を有するものでなくても構わない。図４に示す例において、接地導体４は、絶縁基板１に含まれている複数の絶縁層を連続して厚み方向に貫通している複数の接地貫通導体４ａによって構成されている。複数の接地貫通導体４ａは、
貫通導体２を囲む円形状の仮想線（２点鎖線）４Ｇに沿って、仮想線の外側に配列されている。この仮想線４Ｇが、貫通導体３を囲む接地の等電位面に相当する。仮想線４Ｇは、実際に接地導体４として機能する部分の内周位置を示すものとみなすことができる。図４に示す、仮想線４Ｇと貫通導体２との間の距離Ｌ６が、第１クリアランス部６の距離（長さ）である。なお、図４に示すように、貫通導体３と接地導体層５との間の距離Ｌ７が、第２クリアランス部７の距離（長さ）である。
【００２４】
接地導体層５は、信号線路３の下方において絶縁基板１の内部に位置している。接地導体層５は、信号線路３とともにマイクロストリップ型の伝送路を形成している。この接地導体層５は、貫通導体４との間に第２クリアランス部７を介して配置されている。接地導体層５は、第２クリアランス部７の距離に応じて、貫通導体２から離れた位置で接地導体４の上端部と接続されている。
【００２５】
第１クリアランス部６および第２クリアランス部７は、伝送路と接地部とを電気的に絶縁させるためのスペース（間隙）であり、実際には絶縁基板１の一部である。以下、導体間に絶縁基板１の一部が介在しているという意味で、第１クリアランス部６および第２クリアランス部７を区別せず、単にクリアランス部という場合がある。
【００２６】
実施形態の配線基板10は、平面視において、貫通導体２と接地導体層５との間の第２クリアランス部７の距離Ｌ７が、貫通導体２と接地導体４との間の第１クリアランス部６の距離Ｌ６よりも小さい。貫通導体２の上端部に接続される接地導体層５と貫通導体２との間のクリアランス部の距離が小さいことから、信号線路３と貫通導体２との接続部分における線路構造の変化を低減できる。これにより、信号線路３と貫通導体２との接続部分におけるインピーダンスの変化を効果的に低減することができる。
【００２７】
すなわち、貫通導体２と信号線路３とが接続される部分およびその付近で、信号線路３の下方において接地導体層５が存在しない部分の距離が比較的小さく抑えられる。実施形態の配線基板10では、第２クリアランス部７の距離Ｌ７が比較的小さいため、信号線路３と接地導体層５とで構成される伝送路の形態を貫通導体２の近くまで維持することができる。そのため、信号線路３におけるインピーダンスの変化を効果的に低減することができる。
【００２８】
また、実施形態の配線基板10では、貫通導体２の近くに接地導体４が存在しないことによるインピーダンスの増加を、接地導体層５のうち第２クリアランス部７の周囲まで張り出した部分と貫通導体２との間に生じる静電容量によって打ち消すことができる。したがって、伝送路におけるインピーダンスの変化が効果的に抑制された、伝送特性が良好な配線基板10を提供することができる。
【００２９】
なお、実施形態の配線基板10では、接地導体層５と貫通導体２との間の距離Ｌ７が比較的小さい。つまり、接地導体層５と貫通導体２とが互いに近くなっている。これに起因して、接地導体層５と貫通導体２との間に不要な静電容量が発生する可能性があり、インピーダンスの整合を難しくする可能性もある。これに対しては、上記のような伝送路の形態の維持に加えて、この不要な静電容量が発生する可能性の低減も考慮して、貫通導体２と接地導体層５との間の距離Ｌ７を設定すればよい。例えば、貫通導体２と接地導体層５との間の距離Ｌ７を、信号線路３が位置する部分と他の部分とで互いに異ならせても良い。これらの具体例については後述する。
【００３０】
貫通導体２、信号線路３、接地導体４および接地導体層５といった導体部分は、例えば、タングステン、モリブデン、マンガン、銅、銀、パラジウム、金、白金、ニッケルまたはコバルト等の金属材料によって形成されている。また、これらの導体部分は上記の金属
材料を含む合金材料等によって形成されているものでもよい。このような金属材料等は、メタライズ導体またはめっき導体等の導体として絶縁基板１の所定部位に設けられている。この導体は、例えば絶縁層の露出表面または絶縁層同士の層間に層状に設けられたものと、絶縁層を厚み方向に貫通する貫通孔（符号なし）内に充填された柱状等のものとを含んでいる。
【００３１】
上記の導体部分は、例えばタングステンのメタライズ層である場合には、次のようにして形成することができる。すなわち、まず、タングステンの粉末を有機溶剤および有機バインダと混合して金属ペーストを作製する。次に、この金属ペーストを、絶縁基板１となるセラミックグリーンシートの所定位置にスクリーン印刷法等の方法で印刷する。このときに、貫通導体２および接地導体４を形成する部位においてセラミックグリーンシートに貫通孔を設けておく。貫通孔は、金型を用いた機械的な打ち抜き加工またはレーザ加工等の孔あけ加工によって設けることができる。その後、必要に応じて複数のセラミックグリーンシートを積層し、金属ペーストと同時焼成する。以上の方法で導体部分を形成することができる。
【００３２】
また、このような導体部分がメタライズ層で形成されるときに、そのメタライズ層の露出表面をニッケル、コバルト、パラジウムおよび金等から適宜選択されためっき層で被覆してもよい。この場合には、酸化腐食の抑制および後述するボンディングワイヤのボンディング性等の特性の向上を行なうこともできる。
【００３３】
(電子部品用パッケージ）
実施形態の電子部品用パッケージ20は、例えば図２に示すように、上記実施形態の配線基板10と、凹部11ａを有する筐体11とによって基本的に構成されている。筐体11の凹部11ａ内に配線基板10が収容され、凹部11ａの底面等の内面に配線基板10が接合され、固定される。凹部11ａの内面に対する配線基板10の接合は、例えば、ろう材等の接合材（図示せず）によって行なわれる。図２では、構造をわかりやすくするために、筐体11と配線基板10とを互いに分かれた状態で示している。凹部11底面の仮想線（二点鎖線）で示した部分に配線基板10が固定される。
【００３４】
なお、図２に示す例では、図１等に示す要部（信号線路３等を含む部位）が２つ並んだ形態の配線基板10を示している。配線基板10は、このような要部が１つだけ含まれるものでもよく、３つ以上含まれるものでもよい。また、複数の信号線路（図示せず）は互いに平行なものでなくても構わない。
【００３５】
筐体11は、例えば、平面視で四角形状であり、上面に凹部11ａを有する直方体状のものである。この筐体11は、配線基板10を固定するための基体として機能する。また、筐体11は、配線基板10と電気的に接続される電子部品21を搭載するための基体として機能する。また、筐体11は、後述する蓋体22とともに配線基板10および電子部品21等を気密封止するための容器を構成する部材として機能する。そのため、筐体11の凹部11ａは、配線基板10および電子部品21をちょうど収容できるような形状および寸法を有している。
【００３６】
図２に示す例では、凹部11ａ底面の仮想線（二点鎖線）で囲んだ四角形状の領域が電子部品21が搭載される領域である。矢印で示す方向に電子部品21が運ばれて搭載される。
【００３７】
筐体11は、例えば、鉄−ニッケル−クロム合金、鉄−ニッケル−クロム−モリブデン合金等の合金材料（いわゆるステンレス鋼）、鉄−ニッケル−コバルト合金等の金属材料から成る。筐体11は、このような金属材料の原材料に対して、切断、切削、研磨およびエッチング等の加工方法から適宜選択された加工を施すことにより製作することができる。
【００３８】
また、筐体11は、平板状の底部分と、その底部分の上面の外周に位置する四角枠状等の枠部分とからなるもの（図示せず）でもよい。この場合には、底部分の上面と枠部分の内側とによって、配線基板10および電子部品21を収容する凹部（図示せず）が構成される。また、この場合に、例えば枠部分が、酸化アルミニウム質焼結体等のセラミック材料からなるものでもよい。枠部分がセラミック材料からなる場合には、後述するように筐体11を内外に貫通する接続端子等が複数設けられるときに、接続端子同士の電気的な絶縁性の確保等が容易である。また、この場合に、底部分が金属製であれば、電子部品21等と外部との電磁的なシールド効果を高めることができる。
【００３９】
実施形態の電子部品用パッケージ20によれば、上記構成の配線基板10を含むことから、配線基板部10分におけるインピーダンスの整合が容易な電子部品用パッケージ20を提供することができる。すなわち、電子装置30を製作するときのインピーダンス整合について有効な電子部品用パッケージ20とすることができる。
【００４０】
(電子装置）
実施形態の電子装置30は、例えば図３に示すように、上記構成の電子部品用パッケージ20と、筐体11の凹部11ａ内において配線基板10と電気的に接続された電子部品21と、凹部11ａを塞ぐように筐体11に接合された蓋体22とを有している。電子部品21は、例えば、はんだ等の低融点ろう材、ガラスまたは接着剤等の接合材（図示せず）によって凹部11ａの底面に接合される。
【００４１】
電子部品21は、例えば、半導体集積回路素子（いわゆるＩＣ等）を含む半導体素子、光電変換素子またはセンサ素子等である。電子部品21は、例えば、ボンディングワイヤ等の導電性接続材（図示せず）を介して配線基板10の信号線路３と電気的に接続される。この場合、接地導体層４と電気的に接続された接続パッド（図示せず）を絶縁基板１の上面に配置して、電子部品21と接地導体層４との電気的な接続ができるようにしてもよい。
【００４２】
なお、凹部11ａ内には、複数の電子部品（図示せず）が凹部11ａ内に収容されてもよい。複数の電子部品は、互いに同じ種類の電子部品でもよく、互いに異なる種類の電子部品でもよい。さらに、容量素子または抵抗器等の受動部品が補助的な電子部品（図示せず）として凹部11a内に収容されてもよい。
【００４３】
電子部品21が電気的に接続された配線基板10は、例えば筐体11の底部または側壁部を貫通する接続端子（図示せず）を介して外部の電気回路に電気的に接続させることができる。また、筐体の側壁部を貫通する光導波路（図示せず）を設けて、電子部品21と外部基板とを光接続させるようにしてもよい。
【００４４】
実施形態の電子装置30によれば、上記構成の配線基板10を含むことから、配線基板10部分におけるインピーダンスの整合が容易な電子装置30を提供することができる。すなわち、例えば50ＧＨｚを超えるような高周波化にも対応して、高周波信号の伝送特性の向上に有効な電子装置30とすることができる。
【００４５】
上記実施形態の配線基板10、電子部品用パッケージ20および電子装置30において、第１クリアランス部６および第２クリアランス部７は、平面視において円形状である。また、それぞれ円形状である第１クリアランス部６および第２クリアランス部７は、それぞれの中心が貫通導体２内に位置している。図１に示す例では、第１クリアランス部６および第２クリアランス部７は同心円状に形成されている。
【００４６】
このように、平面視において、第１クリアランス部６および第２クリアランス部７が貫通導体２内に中心が位置する円形状であるときには、貫通導体２と接地導体４との間の距
離Ｌ６および貫通導体と接地導体層５との間の距離Ｌ７のばらつきが効果的に抑制される。そのため、これらの距離の調整による信号線路３および貫通導体２のインピーダンスの調整が容易である。また、そのインピーダンスの整合の精度を高めることも容易である。
【００４７】
なお、平面視において、第１クリアランス部６および第２クリアランス部７が貫通導体２内に中心が位置する扇形状（部分円形状）であってもよい。このときにも、上記円形状のときと同様に、扇形状のクリアランス部の弧の部分において、貫通導体２と接地導体４との間の距離Ｌ６および貫通導体と接地導体層５との間の距離Ｌ７のばらつきを抑制できる。そのため、信号線路２および貫通導体３におけるインピーダンス整合を容易とすることができる。扇形状のクリアランス部の例については後述する。
【００４８】
（変形例）
図５（ａ）および（ｂ）は、それぞれ本発明の実施形態の配線基板10の変形例を示す平面図であり、図４の変形例である。図５において図１〜図４と同様の部位には同様の符号を付している。図５（ａ）に示す例において、第２クリアランス部７は、平面視において信号線路３を含む第１領域７Ａと、第１領域７Ａよりも信号線路３から離れた第２領域７Ｂとを有している。信号線路３は、平面視において第２領域７内には位置していない。なお、第１領域７Ａと第２領域７Ｂとの境界位置を二点鎖線の仮想線７Ｋで示している。また、図５は、最上層の絶縁層および信号線路を透視した図であり、信号線路３は破線で示している。
【００４９】
また、図５（ａ）に示す例では、第１領域７Ａにおける貫通導体２と接地導体層５との距離Ｌ７Ａが第２領域７Ｂにおける貫通導体２と接地導体層５との距離Ｌ７Ｂよりも小さい。すなわち、この例において、第１クリアランス部６は、上記の例と同様に平面視で中心が貫通導体２内に位置している。また、第２クリアランス部７は、平面視で中心が貫通導体２内に位置している円形状であって、半径が比較的短い第１領域７Ａと、半径が比較的長い第２領域７Ｂとを有している。言い換えれば、第２クリアランス部７は、半径が比較的短い扇形状の第１領域７Ａと、半径が比較的長い扇形状の第２領域７Ｂとを有している。図５に示す例では、上記扇形はいずれも中心角が180度であり、半円状である。
【００５０】
この場合には、貫通導体２と接地導体層５との間の距離Ｌ７Ｂが比較的長い第２領域７Ｂにおいて、接地導体層５と貫通導体２との間に生じる静電容量を比較的小さく抑えることができる。
【００５１】
言い換えれば、図５（ａ）に示す例は、信号線路３に比較的近い第２クリアランス部７側において、信号線路３が配置された部分では、接地導体層４によって容量成分を効果的に付加させながら、その反対側では不要な容量成分の生成を抑制することができるようにした例である。
【００５２】
また、図５（ｂ）に示す例では、貫通導体２と接地導体５との間の第２クリアランス部７の距離Ｌ７（Ｌ７Ａ、Ｌ７Ｂ）が、第１領域のみ（Ｌ７Ａ）において、貫通導体２と接地導体４との間の第１クリアランス部６の距離Ｌ６よりも小さい。
【００５３】
図５（ｂ）に示す例においても、第１領域７Ａおよび第２領域７Ｂはそれぞれ扇形状であり、半円状である。このような構成によって、図５（ａ）に示す例と同様に、信号線路３と貫通導体２との接続部分におけるインピーダンス整合に有効な配線基板10、電子部品用パッケージ20および電子装置30とすることができる。
【００５４】
また、図５（ｂ）に示す例では、第２クリアランス７の接地導体２までの距離Ｌ７（Ｌ７Ｂ）は、第２領域７Ｂでは、第１クリアランス部６の距離Ｌ６と同じに設定されている
。すなわち、上記のように、第２クリアランス部７の距離Ｌ７が、第１領域のみ（Ｌ７Ａ）において、貫通導体２と接地導体４との間の第１クリアランス部６の距離Ｌ６よりも小さい。
【００５５】
この場合には、信号線路３と反対側の領域である第２領域７Ｂにおいて、貫通導体２と接地導体層５との間に生じる静電容量をさらに大きく低減することができる。また、信号線路３と貫通導体２との接続部分に対しては、第１領域７Ａ側の接地導体層５によって効果的に容量成分を付加することができる。そのため、信号線路３が配置された部分では容量成分を効果的に付加させながら、その反対側では不要な容量成分の生成を効果的に抑制することができる。
【００５６】
図５（ａ）および（ｂ）に示す例は、いずれも、第２クリアランス部７について、第１領域７Ａにおける半径が第２領域７Ｂにおける半径よりも小さい扇形状である例とみなすことができる。この場合には、貫通導体２と接地導体層５との間の距離を、第１領域７Ａおよび第２領域７Ｂのそれぞれにおいて一定の値に調整することが容易である。そのため、信号線路３および貫通導体２におけるインピーダンスの整合が容易な、配線基板10、電子部品用パッケージ20および電子装置30を提供することができる。
【００５７】
（その他の変形例およびシミュレーション例）
図６および図７は、第２クリアランス部７が第１領域７Ａおよび第２領域７Ｂを有する構成において、それぞれ扇形状である第１領域７Ａおよび第２領域７Ｂの中心角を種々に変更した例である。図６および図７についても、図５と同様に、最上層の絶縁層および信号線路を透視して示し、信号線路３は破線としている。
【００５８】
図６（ａ）〜図６（ｃ）は、第１領域７Ａの中心角を180度に対して順次30度ずつ（信
号線路を挟んだ両側で15度ずつ）小さくしていった例である。図７（ａ）〜図７（ｃ）は、第１領域７Ａの中心角を180度に対して順次30度ずつ（信号線路を挟んだ両側で15度ず
つ）大きくしていった例である。図６および図７に示す各例においても、図５に示す例と同様に、インピーダンスの整合を容易とする効果を得ることができる。
【００５９】
ここで、上記の各実施形態の例および変形例の配線基板10ならびに比較例の配線基板（図示せず）について、高周波信号の反射特性をシミュレーションにより算出して伝送特性を確認した。比較例の配線基板は、貫通導体と接地導体との距離および貫通導体と接地導体層との距離を互いに同じに設定した。これ以外の点について、比較例の配線基板と各実施形態の例および変形例とは互いに同じ条件に設定した。
【００６０】
設定した条件は、以下のとおりである。すなわち、絶縁基板１の比誘電率を8.9、信号
線路３の線幅を40μｍ、信号線路３の厚みを10μｍ、貫通導体３の径／接地導体４の径を75μｍ、第１クリアランス部６の距離Ｌ６を480μｍ（半径が480μｍの扇形）、第２クリアランス部7の距離Ｌ７を150μｍ（半径が150μｍの扇形）とした。また、図５〜７の形
態において、第２領域７Ｂにおける第２クリアランス部７の距離Ｌ７Ｂを375μｍとした
。また、図10の形態において、凸部８は、直径100μｍの半円状とし、その厚み（導体厚
み）が10μｍのものとした。
【００６１】
シミュレーションの結果を図８および図９に示す。図８は、図１に示す形態（Ａ）、図５（ｂ）に示す形態（Ｂ）、図５（ａ）に示す形態（Ｃ）および比較例（Ｄ）の、70ＧＨｚ以下の周波数における反射損失を示している。
【００６２】
図９（ａ）は、図６（ａ）〜（ｃ）に示す形態の、70ＧＨｚ以下の周波数における反射損失を示している。第１領域７Ａの中心角は、図９（ａ）のＣ１で150度、Ｃ２で120度、
Ｃ３で90度であった。
【００６３】
図９（ｂ）は、図７（ａ）〜（ｃ）に示す形態の、70ＧＨｚ以下の周波数における反射損失を示している。第１領域７Ａの中心角は、図９（ｂ）のＣ４で210度、Ｃ２で240度、Ｃ３で270度であった。
【００６４】
以上のシミュレーション例からわかるように、いずれの実施形態および変形例においても、比較例の配線基板に比べて高周波信号の反射損失が効果的に低減されている。すなわち、例えば70ＧＨｚに至る高周波帯に対しても、本発明の実施形態および変形例の配線基板10は、信号の伝送特性が良好であることが確認できた。
【００６５】
なお、以上のシミュレーション例で示されているように、各形態によって配線基板10としての周波数特性が異なる。一方、配線基板10は、その所望の周波数帯域、反射特性のレベルおよび絶縁基板１等の用いられている材料（比誘電率等）が種々に設定される可能性がある。また、信号線路３の線幅およびパターン等のデザインルールも種々に設定される可能性がある。そのため、これらの設定条件に応じて、上記の種々の実施形態および変形例の形態の配線基板10を採用するようにすればよい。
【００６６】
例えば、０〜70ＧＨｚの広帯域に渡って反射特性を下げたい場合は、Ｃ４で示される構造が適している。また０〜15ＧＨｚ程度の帯域において反射を集中的に下げたい場合には、Ｃ１／Ｃ６で示された構造が適している。また、この場合にも、絶縁基板１等の比誘電率およびデザインルールといった設定条件に応じて、適宜、第１領域７Ａおよび第２領域７Ｂの形態を種々に変更することができる。
【００６７】
なお、本発明は、以上の実施形態の例に限定されるものではなく、本発明の要旨の範囲内であれば種々の変更は可能である。
【００６８】
例えば、図10に示すように、信号線路３の一部に凸部８が設けられていてもよい。図10は、本発明の実施形態の配線基板10、電子部品用パッケージ20および電子装置30に関して、図１（ａ）のさらに他の変形例を示す平面図である。図10において図１と同様の部位には同様の符号を付している。図10に示す例の配線基板10は、平面視において信号線路３と接地導体層５の周縁とが交差する部分に、信号線路３から絶縁基板１の上面に沿って外側に突出する凸部８をさらに有している。接地導体層５の周縁は、接地導体層５と第２クリアランス部７との境界部分であり、円弧状の内周である。
【００６９】
このような凸部８が設けられている場合には、凸部８と接地導体層５との間に生じる容量成分も、信号線路３におけるインピーダンスを調整するための容量成分として利用することができる。つまり、接地導体層５と信号線路３との間に生じる容量成分を補って、信号線路３のインピーダンス調整に必要な容量成分を付加することができる。
【００７０】
凸部８は、例えば信号線路３等の導体部分と同様の金属材料を用い、同様の方法で形成することができる。図10における凸部８は、信号線路３と一体的に形成された例であり、信号線路３と凸部との境界は破線で示している。このときには、凸部８は、信号線路３のうち線幅が他の部分よりも広くなった部分とみなすこともできる。
【００７１】
また、実施形態および変形例の各例では、例えば扇形状のクリアランス部について、平面視において信号線路３に対して線対称な例のみを説明したが、必ずしも線対称でなくても構わない。例えば、絶縁基板１の内部における他の導体と信号線路３または貫通導体２との間の生じる静電容量（いわゆる寄生容量等）を考慮して、信号線路を挟んだ両側でクリアランス部の面積を互いに異ならせるようにしてもよい。すなわち、信号線路３を挟ん
だ両側で、第２クリアランス部７の扇形状の第１領域７Ａの中心角が互いに異なっていてもよい。言い換えれば、扇形状のクリアランス部７（７Ａ）の周方向における中心位置が、平面視で信号線路３からずれた位置にあっても構わない。
【００７２】
また、最上層の絶縁層の上にさらに他の絶縁層（図示せず）を積層してもよい。この場合、信号線路３のうち電子部品21と電気的に接続される部分は、絶縁層で被覆せずに露出させておく。
【符号の説明】
【００７３】
１・・・絶縁基板
２・・・貫通導体
３・・・信号線路
４・・・接地導体
５・・・接地導体層
６・・・第１クリアランス部
６Ｌ・・・第１クリアランス部の距離
７・・・第２クリアランス部
７Ｌ・・・第２クリアランス部の距離
７Ｋ・・・第１領域と第２領域との境界
８・・・凸部
10・・・配線基板
11・・・筐体
11ａ・・・凹部
21・・・電子部品
22・・・蓋体
30・・・電子装置
【図１】
2018137382.tif 000003
【図２】
2018137382.tif 000004
【図３】
2018137382.tif 000005
【図４】
2018137382.tif 000006
【図５】
2018137382.tif 000007
【図６】
2018137382.tif 000008
【図７】
2018137382.tif 000009
【図８】
2018137382.tif 000010
【図９】
2018137382.tif 000011
【図１０】
2018137382.tif 000012